(57)【要約】【課題】簡潔な方法により同一信号線で複数の調光制御用データを載せた信号を送出し、複数の器具又は負荷を異なる出力にする。【解決手段】調光信号送出装置１１は、調光信号として、デューティの大きさで負荷１４Ａの調光度を示すとともに、周波数の高さで負荷１４Ｂの調光度を示す信号を生成し、点灯装置１５が接続された１つの信号線に送出する。点灯装置１５は、上記調光信号のデューティを計測し、デューティの大きさに対応する調光度で負荷１４Ａを調光する。また、点灯装置１５は、上記調光信号の周波数を計測し、周波数の高さに対応する調光度で負荷１４Ｂを調光する。【選択図】図４
2014130833.tif 000002
【特許請求の範囲】
【請求項１】
１つの信号線に接続された点灯装置であり、第１負荷を点灯させる第１点灯回路と、第２負荷を点灯させる第２点灯回路とを有する点灯装置と、
負荷の調光制御を行うための調光信号として、第１変調方式による変調を施すことにより第１データを載せた信号であって、前記第１変調方式と異なる第２変調方式による変調を施すことにより第２データを載せた信号を生成し、生成した調光信号を前記信号線に送出する調光信号送出装置とを備え、
前記点灯装置は、前記信号線を介して前記調光信号送出装置から送出された調光信号を受信し、受信した調光信号を前記第１変調方式により復調して前記第１データを取得し、取得した第１データに基づいて前記第１点灯回路に前記第１負荷を調光させるとともに、受信した調光信号を前記第２変調方式により復調して前記第２データを取得し、取得した第２データに基づいて前記第２点灯回路に前記第２負荷を調光させることを特徴とする調光制御システム。
【請求項２】
前記調光信号送出装置は、前記調光信号として、前記第１負荷の調光度を指令するデータである前記第１データを載せた信号であって、前記第２負荷の調光度を指令するデータである前記第２データを載せた信号を生成することを特徴とする請求項１に記載の調光制御システム。
【請求項３】
前記調光信号送出装置は、前記第１変調方式及び前記第２変調方式として、それぞれパルス幅変調方式及び周波数変調方式を用いることを特徴とする請求項１又は２に記載の調光制御システム。
【請求項４】
前記第１負荷及び前記第２負荷は、それぞれ異なる色温度の負荷であることを特徴とする請求項１から３までのいずれかに記載の調光制御システム。
【請求項５】
前記第１負荷及び前記第２負荷は、それぞれ放電灯であることを特徴とする請求項１から４までのいずれかに記載の調光制御システム。
【請求項６】
前記第１負荷及び前記第２負荷は、それぞれＬＥＤであることを特徴とする請求項１から４までのいずれかに記載の調光制御システム。
【発明の詳細な説明】
【技術分野】
【０００１】
本発明は、調光制御システムに関するものである。
【背景技術】
【０００２】
従来、照明装置の調光信号はＰＷＭ（パルス幅変調）信号のデューティで制御されており、ＰＷＭ信号のデューティに伴い光束出力を変化させていた（例えば、特許文献１参照）。
【０００３】
また、従来、照明器具それぞれにアドレスを持たせ、同一の信号線にアドレス信号と調光信号の複数の信号を送出し、個々の照明器具を制御する方式があった（例えば、特許文献２参照）。
【先行技術文献】
【特許文献】
【０００４】
【特許文献１】特開２００３−３１７９９３号公報
【特許文献２】特開２００８−４１４８０号公報
【特許文献３】特開昭５５−９１５９３号公報
【特許文献４】特開２００６−２３６７０６号公報
【特許文献５】特開２００８−４１４５２号公報
【発明の概要】
【発明が解決しようとする課題】
【０００５】
従来の照明装置の調光信号では、同一の信号線に接続した照明器具は全て同じ出力になるため、例えば、同一の部屋において複数の照明器具を異なる出力に制御したい場合は、複数の信号線及び調光器を必要としていた。
【０００６】
また、同一の器具内において、複数のランプを異なる出力に制御したい場合、複数の信号線及び調光信号送出装置を必要としていた。
【０００７】
一方、前述したように、照明器具それぞれにアドレスを持たせ、同一の信号線にアドレス信号と調光信号の複数の信号を送出し、個々の照明器具を制御する方式があるが、信号及び制御、設定が複雑化する課題があった。
【０００８】
さらに、近年、照明の色温度を制御して、室内の雰囲気を変えることが要求されるようになった。
【０００９】
本発明は、例えば、簡潔な方法により同一信号線で複数の調光制御用データを載せた信号を送出し、複数の器具又は負荷を異なる出力にすることを目的とする。さらに、照明の色温度を簡潔な方法により制御することを目的とする。
【課題を解決するための手段】
【００１０】
本発明の一の態様に係る照明器具は、
１つの信号線に接続された点灯装置であり、第１負荷を点灯させる第１点灯回路と、第２負荷を点灯させる第２点灯回路とを有する点灯装置と、
負荷の調光制御を行うための調光信号として、第１変調方式による変調を施すことにより第１データを載せた信号であって、前記第１変調方式と異なる第２変調方式による変調を施すことにより第２データを載せた信号を生成し、生成した調光信号を前記信号線に送出する調光信号送出装置とを備え、
前記点灯装置は、前記信号線を介して前記調光信号送出装置から送出された調光信号を受信し、受信した調光信号を前記第１変調方式により復調して前記第１データを取得し、取得した第１データに基づいて前記第１点灯回路に前記第１負荷を調光させるとともに、受信した調光信号を前記第２変調方式により復調して前記第２データを取得し、取得した第２データに基づいて前記第２点灯回路に前記第２負荷を調光させる。
【発明の効果】
【００１１】
本発明の一の態様では、調光信号送出装置が、調光信号として、第１変調方式による変調を施すことにより第１データを載せた信号であって、前記第１変調方式と異なる第２変調方式による変調を施すことにより第２データを載せた信号を信号線に送出する。この信号線に接続された点灯装置は、調光信号を第１変調方式により復調して第１データを取得する。また、点灯装置は、調光信号を第２変調方式により復調して第２データを取得する。これにより、点灯装置に対し、簡潔な方法により異なるデータを通知して、複数の負荷を異なる出力にすることが可能となる。
【図面の簡単な説明】
【００１２】
【図１】実施の形態１に係る調光制御システムの構成を示す回路ブロック図である。
【図２】実施の形態１に係るＰＷＭ信号の波形図である。
【図３】実施の形態１に係る（ａ）調光信号のデューティと負荷の出力との関係を示すグラフ、（ｂ）調光信号の周波数と負荷の出力との関係を示すグラフである。
【図４】実施の形態２に係る調光制御システムの構成を示す回路ブロック図である。
【図５】実施の形態３に係る調光制御システムの構成を示す回路ブロック図である。
【図６】実施の形態４に係る識別信号及び調光信号の波形図である。
【発明を実施するための形態】
【００１３】
以下、本発明の実施の形態について、図を用いて説明する。
【００１４】
実施の形態１．
図１は、本実施の形態に係る調光制御システム１０の構成を示す回路ブロック図である。
【００１５】
図１において、調光制御システム１０は、調光信号送出装置１１（調光器）、負荷１４Ａ〜１４Ｄ、点灯装置１５Ａ〜１５Ｄを備える。なお、調光制御システム１０は、負荷や点灯装置をそれぞれ３つ以下あるいは５つ以上備えていてもよい。
【００１６】
調光信号送出装置１１は、同一信号線に複数の調光制御用データを載せた調光信号としてＰＷＭ信号を送出する。図２に、このＰＷＭ信号の波形図を示す。調光信号送出装置１１には、負荷１４Ａ〜１４Ｄの設置場所（以下、例として室内とする）の照度を検出するための照度センサ２０Ａ，２０Ｂが接続されている。
【００１７】
調光信号送出装置１１は、室内の照度の変化に伴い、照度センサ２０Ａからの信号が室内の照度が上昇したことを示すものである場合、送出するＰＷＭ信号（図２参照）のＨｉ側のデューティ（ＤＵＴＹ）を増加させ、照度が低下したことを示すものである場合、Ｈｉ側のデューティを減少させるものである。このデューティは、照度センサ２０Ａからの信号に伴い、０％（Ｌｏｗレベル）〜１００％（Ｈｉレベル）まで変化する。また、調光信号送出装置１１は、照度センサ２０Ｂからの信号が室内の照度が上昇したことを示すものである場合、送出するＰＷＭ信号（図２参照）の周波数（ｆ）を増加させ、照度が低下したことを示すものである場合、周波数を減少させるものである。この周波数は、照度センサ２０Ｂからの信号に伴い、１００Ｈｚ〜１ｋＨｚまで変化する。
【００１８】
負荷１４Ａ〜１４Ｄは、放電灯でもＬＥＤでもよい。
【００１９】
点灯装置１５Ａ〜１５Ｄは、調光信号送出装置１１から送出される調光信号により制御されて動作し、負荷１４Ａ〜１４Ｄの出力を調節する。点灯装置１５Ａ〜１５Ｄのうち、点灯装置１５Ａ，１５Ｂは、調光信号送出装置１１から送出される調光信号に載せられた複数の調光制御用データのうち少なくとも１つの調光制御用データを認識して動作する。点灯装置１５Ｃ，１５Ｄは、調光信号送出装置１１から送出される調光信号に載せられた複数の調光制御用データのうち他の少なくとも１つの調光制御用データを認識して動作する。点灯装置１５Ａ〜１５Ｄは、共通の電源ＡＣ及び調光信号送出装置１１に接続されている。点灯装置１５Ａ〜１５Ｄは、それぞれ信号処理回路１２Ａ〜１２Ｄ、点灯回路１３Ａ〜１３Ｄを備える。
【００２０】
信号処理回路１２Ａ〜１２Ｄは、調光信号送出装置１１からのＰＷＭ信号を処理するもので、例えば、マイクロコンピュータで構成される。
【００２１】
信号処理回路１２Ａ，１２Ｂは、図２に示すＰＷＭ信号の周波数に関わらずにＨｉ側デューティをマイクロコンピュータで読み取り、図３（ａ）に示すようにデューティ（ＤＵＴＹ）が大きくなるに伴い出力を低下させる制御信号を点灯回路１３Ａ，１３Ｂに送出する。信号処理回路１２Ａ，１２Ｂのマイクロコンピュータは、ＰＷＭ信号の立ち上がりエッジと立ち下がりエッジとを読み取り、この読み取った立ち上がりエッジから立ち下りエッジまでの期間を時間Ｔｈとして計測する。また、ＰＷＭ信号の立ち上がりエッジを読み取り、この読み取った立ち上がりエッジから次に読み取る立ち上がりエッジまでの期間を時間Ｔとして計測する。そして、この計測した時間Ｔｈと時間ＴからＴｈ／Ｔを算出することによりＰＷＭ信号のデューティを求める。
【００２２】
信号処理回路１２Ｃ，１２Ｄは、図２に示すＰＷＭ信号のデューティに関わらずに周波数をマイクロコンピュータで読み取り、図３（ｂ）に示すように周波数（ｆ）が大きくなるに伴い出力を低下させる制御信号を点灯回路１３Ｃ，１３Ｄに送出する。信号処理回路１２Ｃ，１２Ｄのマイクロコンピュータは、ＰＷＭ信号の立ち上がりエッジを読み取り、この読み取った立ち上がりエッジから次に読み取る立ち上がりエッジまでの期間を時間Ｔとして計測する。そして、１／Ｔを算出することによりＰＷＭ信号の周波数を求める。
【００２３】
ここで、ＰＷＭ信号の周波数及びデューティに関わらずに図２に示す電圧レベルＶＴを変える方法もあるが、電圧レベルは、信号線を長くした場合に減衰してしまうので、正確な信号を送ることが難しい。よって、上記のように、ＰＷＭ信号の周波数及びデューティを利用することが望ましい。
【００２４】
点灯回路１３Ａ〜１３Ｄは、負荷１４Ａ〜１４Ｄをそれぞれ点灯させるもので、信号処理回路１２Ａ〜１２Ｄから送出される制御信号に従い負荷１４Ａ〜１４Ｄを調光するものである。
【００２５】
上記のように、調光信号送出装置１１は、負荷の調光制御を行うための調光信号として、パルス幅変調方式（第１変調方式の例）による変調を施すことにより負荷１４Ａ，１４Ｂ（第１負荷の例）の調光度を指令するデータである第１データを載せた信号であって、周波数変調方式（第１変調方式と異なる第２変調方式の例）による変調を施すことにより負荷１４Ｃ，１４Ｄ（第２負荷の例）の調光度を指令するデータである第２データを載せた信号を生成する。そして、調光信号送出装置１１は、生成した調光信号を、点灯装置１５Ａ〜１５Ｄが接続された１つの信号線に送出する。
【００２６】
点灯装置１５Ａ，１５Ｂ（第１点灯装置の例）は、上記信号線を介して調光信号送出装置１１から送出された調光信号を受信する。そして、点灯装置１５Ａ，１５Ｂは、受信した調光信号をパルス幅変調方式により復調して上記第１データを取得し、取得した第１データに基づいて負荷１４Ａ，１４Ｂを調光する。例えば、調光信号のデューティが０％であれば、点灯装置１５Ａ，１５Ｂは、負荷１４Ａ，１４Ｂを１００％の出力で点灯させる。また、例えば、調光信号のデューティが５０％であれば、点灯装置１５Ａ，１５Ｂは、負荷１４Ａ，１４Ｂを５０％の出力で点灯させる。また、例えば、調光信号のデューティが１００％であれば、点灯装置１５Ａ，１５Ｂは、負荷１４Ａ，１４Ｂを消灯させる。
【００２７】
同様に、点灯装置１５Ｃ，１５Ｄ（第２点灯装置の例）は、上記信号線を介して調光信号送出装置１１から送出された調光信号を受信する。そして、点灯装置１５Ｃ，１５Ｄは、受信した調光信号を周波数変調方式により復調して上記第２データを取得し、取得した第２データに基づいて負荷１４Ｃ，１４Ｄを調光する。例えば、調光信号の周波数が１００Ｈｚであれば、点灯装置１５Ｃ，１５Ｄは、負荷１４Ｃ，１４Ｄを１００％の出力で点灯させる。また、例えば、調光信号の周波数が５００Ｈｚであれば、点灯装置１５Ｃ，１５Ｄは、負荷１４Ｃ，１４Ｄを５０％の出力で点灯させる。また、例えば、調光信号の周波数が１ｋＨｚであれば、点灯装置１５Ｃ，１５Ｄは、負荷１４Ｃ，１４Ｄを消灯させる。
【００２８】
本実施の形態では、上記のような動作により、点灯装置１５Ａ，１５Ｂ、及び、点灯装置１５Ｃ，１５Ｄに対し、簡潔な方法により異なるデータを通知して、複数の負荷を異なる出力にすることが可能となる。なお、第１変調方式及び第２変調方式のほかに、第３変調方式、第４変調方式、・・・といった別の変調方式を追加的に用いることで、第１点灯装置及び第２点灯装置のほかに、第３点灯装置、第４点灯装置、・・・といった異なる調光制御の対象とする点灯装置を構成に加えることが可能である。
【００２９】
例えば、負荷１４Ａ〜１４Ｄが同一の部屋に設置され、負荷１４Ａ，１４Ｂ、及び、照度センサ２０Ａが窓側に、負荷１４Ｃ，１４Ｄ、及び、照度センサ２０Ｂが壁側に設置されたとする。昼間の太陽光がある場合は、窓側は太陽光によりある程度の明るさが確保できるため、点灯装置１５Ａ，１５Ｂの出力は少なくてもよく、壁側は太陽光が届かないために点灯装置１５Ｃ，１５Ｄはある程度の出力を確保しなければならない。従来の照明装置においては、点灯装置１５Ａ，１５Ｂ、及び、点灯装置１５Ｃ，１５Ｄに相当するものにはそれぞれ異なる調光信号送出装置及び調光信号線が接続されていた。一方、本実施の形態では、点灯装置１５Ａ〜１５Ｄには同一の調光信号送出装置１１及び調光信号線が接続される。
【００３０】
朝や昼間等は、窓側の照度センサ２０Ａが太陽光による照度を検出するため、調光信号送出装置１１はＰＷＭ調光信号のデューティを高くなるように変化させることにより点灯装置１５Ａ，１５Ｂの出力を低減させる。その結果、窓側の負荷１４Ａ，１４Ｂが暗く点灯する。また、壁側の照度センサ２０Ｂが窓側の照度センサ２０Ａに比べ少ない太陽光による照度を検出するため、調光信号送出装置１１はＰＷＭ調光信号の周波数を窓側の変化率（デューティの変化率）に比べると低い変化率で高くなるように変化させることにより点灯装置１５Ｃ，１５Ｄの出力を窓側（点灯装置１５Ａ，１５Ｂ）に比べ少なく低減することができる。その結果、壁側の負荷１４Ｃ，１４Ｄが窓側の負荷１４Ａ，１４Ｂより明るく点灯する。この制御により、太陽光を利用して室内の明るさを一定に制御することができる。一方、夜間は上記と逆の動作で、照度センサ２０Ａ，２０Ｂが室内の照度が低下したことを検出するため、調光信号送出装置１１はＰＷＭ信号のデューティ及び周波数を低くなるように変化させることにより点灯装置１５Ａ〜１５Ｄの出力を増加させることができる。その結果、窓側の負荷１４Ａ，１４Ｂ、及び、壁側の負荷１４Ｃ，１４Ｄがいずれも明るく点灯する。
【００３１】
以上説明したように、本実施の形態では、調光信号送出装置１１が、調光信号として、デューティの大きさで負荷１４Ａ，１４Ｂの調光度を示すとともに、周波数の高さで負荷１４Ｃ，１４Ｄの調光度を示す信号を生成し、点灯装置１５Ａ〜１５Ｄが接続された１つの信号線に送出する。点灯装置１５Ａ，１５Ｂは、上記調光信号のデューティを計測し、デューティの大きさに対応する調光度で負荷１４Ａ，１４Ｂを調光する。点灯装置１５Ｃ，１５Ｄは、上記調光信号の周波数を計測し、周波数の高さに対応する調光度で負荷１４Ｃ，１４Ｄを調光する。これにより、ＰＷＭ信号を用いて、同一信号線で複数の調光制御用データを送出することが可能となる。
【００３２】
なお、図３（ａ），（ｂ）において、デューティ及び周波数を高くすると出力が小さくなる制御の例を示したが、デューティ及び周波数を高くすると出力が大きくなる制御でも同様の効果が得られる。
【００３３】
実施の形態２．
本実施の形態について、主に実施の形態１との差異を説明する。
【００３４】
図４は、本実施の形態に係る調光制御システム１０の構成を示す回路ブロック図である。
【００３５】
図４において、調光制御システム１０は、調光信号送出装置１１、照明器具１６を備える。
【００３６】
調光信号送出装置１１は、コンピュータ２１に接続され、コンピュータ２１のプログラムに従い、送出するＰＷＭ信号のデューティ及び周波数を変化させる。
【００３７】
照明器具１６は、負荷１４Ａ，１４Ｂ、点灯装置１５を備える。実施の形態１と同様に、負荷１４Ａ，１４Ｂは、放電灯でもＬＥＤでもよい。なお、照明器具１６は、負荷を３つ以上備えていてもよい。
【００３８】
点灯装置１５は、点灯回路１３Ａ，１３Ｂ、信号処理回路１２を備える。点灯装置１５は、負荷ごとに点灯回路を備えている。
【００３９】
信号処理回路１２は、調光信号送出装置１１からのＰＷＭ信号を処理するもので、例えば、マイクロコンピュータで構成される。
【００４０】
信号処理回路１２は、図２に示すＰＷＭ信号の周波数に関わらずにＨｉ側デューティをマイクロコンピュータで読み取り、図３（ａ）に示すようにデューティが大きくなるに伴い出力を低下させる制御信号を点灯回路１３Ａに送出する。信号処理回路１２のマイクロコンピュータは、ＰＷＭ信号の立ち上がりエッジと立ち下がりエッジとを読み取り、この読み取った立ち上がりエッジから立ち下りエッジまでの期間を時間Ｔｈとして計測する。また、ＰＷＭ信号の立ち上がりエッジを読み取り、この読み取った立ち上がりエッジから次に読み取る立ち上がりエッジまでの期間を時間Ｔとして計測する。そして、この計測した時間Ｔｈと時間ＴからＴｈ／Ｔを算出することによりＰＷＭ信号のデューティを求める。
【００４１】
また、信号処理回路１２は、図２に示すＰＷＭ信号のデューティに関わらずに周波数をマイクロコンピュータで読み取り、図３（ｂ）に示すように周波数が大きくなるに伴い出力を低下させる制御信号を点灯回路１３Ｂに送出する。信号処理回路１２のマイクロコンピュータは、上記のように時間Ｔを計測して、１／Ｔを算出することによりＰＷＭ信号の周波数を求める。
【００４２】
点灯回路１３Ａ，１３Ｂは、負荷１４Ａ，１４Ｂをそれぞれ点灯させるもので、信号処理回路１２から送出される制御信号に従い負荷１４Ａ，１４Ｂを調光するものである。
【００４３】
例えば、負荷１４Ａとして電球色相当の色温度３０００Ｋの光源を接続し、負荷１４Ｂとして白色の色温度５０００Ｋの光源を接続したとする。照明器具１６は、上記２色の負荷１４Ａ，１４Ｂから放出される光を混合するものであるとする。
【００４４】
調光信号送出装置１１から送出されるＰＷＭ信号のデューティにより負荷１４Ａの電球色相当の光が、ＰＷＭ信号の周波数により負荷１４Ｂの白色相当の光がそれぞれ独立して調光される。これらの調光度をそれぞれ変化させることにより、照明器具１６として３０００Ｋから５０００Ｋの間で色温度を可変にすることができ、かつ、明るさも同時に可変にすることができる。
【００４５】
本実施の形態によれば、ＰＷＭ信号を用いて、同一信号線で複数の調光制御用データを送出することが可能となる。また、同一器具内で異なる色温度の負荷を独立して調光することにより、明るさのみならず色温度も可変とすることが可能となる。
【００４６】
なお、例として、色温度３０００Ｋと５０００Ｋの組み合わせを説明したが、他の色温度の組み合わせでも同様な効果を得ることができる。
【００４７】
実施の形態３．
本実施の形態について、主に実施の形態１との差異を説明する。
【００４８】
図５は、本実施の形態に係る調光制御システム１０の構成を示す回路ブロック図である。
【００４９】
本実施の形態では、実施の形態１における点灯装置１５Ａ，１５Ｂが同一の照明器具１６内に配置されている。点灯装置１５Ａの信号処理回路１２Ａは、図２に示すＰＷＭ信号の周波数に関わらずにＨｉ側デューティをマイクロコンピュータで読み取り、図３（ａ）に示すようにデューティが大きくなるに伴い出力を低下させる制御信号を点灯回路１３Ａに送出する。点灯装置１５Ｂの信号処理回路１２Ｂは、図２に示すＰＷＭ信号のデューティに関わらずに周波数をマイクロコンピュータで読み取り、図３（ｂ）に示すように周波数が大きくなるに伴い出力を低下させる制御信号を点灯回路１３Ｂに送出する。点灯回路１３Ａ，１３Ｂ、負荷１４Ａ，１４Ｂについては、実施の形態２と同様であり、本実施の形態では、実施の形態２と同様の効果を得ることができる。
【００５０】
実施の形態４．
本実施の形態について、主に実施の形態１〜３との差異を説明する。
【００５１】
実施の形態１〜３では、ＰＷＭの調光信号を用いていたが、本実施の形態では、少なくとも２種類の識別信号と調光信号の組み合わせによるデータ信号を用いる。本実施の形態でも、実施の形態１〜３と同様に、同一信号線で複数の調光制御用データを送出することが可能となる。
【００５２】
以下では、例として、調光制御システム１０が実施の形態３と同様の構成をもつものとして説明するが、本実施の形態は、調光制御システム１０が実施の形態１あるいは実施の形態２と同様の構成をもつ場合にも適用可能なものである。
【００５３】
図６（ａ），（ｂ）に、本実施の形態におけるデータ信号（識別信号及び調光信号）の例を示す。
【００５４】
図６（ａ），（ｂ）は、周期Ｔの識別信号と周期Ｔの調光信号が交互に繰り返されるデータ信号となっている。調光信号送出装置１１は、図６（ａ），（ｂ）に示すデータ信号を点灯装置１５Ａ，１５Ｂに送出する。
【００５５】
識別信号は、周期Ｔの時間内にある複数の周期ｔのパルスで構成される。一方、調光信号は、識別信号と同じ周期Ｔの時間内にあるデューティ可変の１パルスの信号で構成される。このため、点灯装置１５Ａ，１５Ｂの信号処理回路１２Ａ，１２Ｂのマイクロコンピュータは、周期Ｔ内に複数のパルスがあるか否かで、識別信号と調光信号とを区別することができる。
【００５６】
例えば、図６（ａ）に示すように、周期Ｔの時間内に周期ｔのパルスが２個存在するものを、点灯装置１５Ａに対応する識別信号Ａとする。そして、図６（ｂ）に示すように、周期Ｔの時間内に周期ｔのパルスが３個存在するものを、点灯装置１５Ｂに対応する識別信号Ｂとする。調光信号は、周期Ｔの時間内のＰＷＭ信号のデューティにより、調光度を示すものである。
【００５７】
上記データ信号は、実施の形態３においてＰＷＭ信号のデューティにより制御されていたものを識別信号Ａ、周波数により制御されていたものを識別信号Ｂに置き換えていることになる。したがって、本実施の形態によっても、実施の形態３と同様の効果を得ることができる。
【００５８】
上記のように、調光信号送出装置１１は、点灯装置１５Ａ（第１点灯装置の例）と点灯装置１５Ｂ（第２点灯装置の例）とを識別する識別信号と、負荷の調光制御を行うための調光信号とを交互に、点灯装置１５Ａ，１５Ｂが接続された１つの信号線に送出する。
【００５９】
点灯装置１５Ａは、上記信号線を介して調光信号送出装置１１から送出された識別信号と調光信号とを受信する。そして、点灯装置１５Ａは、受信した識別信号が自己を識別する信号（識別信号Ａ）であれば、当該識別信号の直後に受信した調光信号に基づいて負荷１４Ａ（第１負荷の例）を調光する。例えば、調光信号のデューティが０％であれば、点灯装置１５Ａは、負荷１４Ａを１００％の出力で点灯させる。また、例えば、調光信号のデューティが５０％であれば、点灯装置１５Ａは、負荷１４Ａを５０％の出力で点灯させる。また、例えば、調光信号のデューティが１００％であれば、点灯装置１５Ａは、負荷１４Ａを消灯させる。
【００６０】
同様に、点灯装置１５Ｂは、上記信号線を介して調光信号送出装置１１から送出された識別信号と調光信号とを受信する。そして、点灯装置１５Ｂは、受信した識別信号が自己を識別する信号（識別信号Ｂ）であれば、当該識別信号の直後に受信した調光信号に基づいて負荷１４Ｂ（第２負荷の例）を調光する。
【００６１】
本実施の形態では、上記のような動作により、点灯装置１５Ａ，１５Ｂ、及び、点灯装置１５Ｃ，１５Ｄに対し、簡潔な方法により異なるデータを通知して、複数の負荷を異なる出力にすることが可能となる。
【００６２】
なお、本実施の形態では、調光信号として、ＰＷＭ信号、即ち、パルス幅変調方式による変調を施すことにより負荷の調光度を指令するデータを載せた信号を用いているが、例えば、周波数変調方式あるいは他の変調方式による変調を施すことにより同様のデータを載せた信号を用いてもよい。
【００６３】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００６４】
１０  調光制御システム、１１  調光信号送出装置、１２，１２Ａ〜１２Ｄ  信号処理回路、１３Ａ〜１３Ｄ  点灯回路、１４Ａ〜１４Ｄ  負荷、１５，１５Ａ〜１５Ｄ  点灯装置、１６  照明器具、２０Ａ，２０Ｂ  照度センサ、２１  コンピュータ、ＡＣ  電源。
【図１】
2014130833.tif 000003
【図２】
2014130833.tif 000004
【図３】
2014130833.tif 000005
【図４】
2014130833.tif 000006
【図５】
2014130833.tif 000007
【図６】
2014130833.tif 000008